【事件の表示】
　特願２００６−５１６６０９「テープ印刷装置およびテープカセット」拒絶査定不服審判事件〔平成１７年　１月　６日国際公開、ＷＯ２００５／０００５８６、平成１９年１０月　４日国内公表、特表２００７−５２７８０１〕について、次のとおり審決する。
【結　論】
　本件審判の請求は、成り立たない。
【理　由】
第１　手続の経緯　
　本願は、２００４年６月２８日（パリ条約による優先権主張外国庁受理２００３年６月２７日、英国、パリ条約による優先権主張外国庁受理２００３年１２月２４日、英国）を国際出願日とする出願であって、平成１８年２月２７日に翻訳文が提出され、平成１９年６月２６日、平成２１年６月１０日及び平成２２年１月５日に手続補正がなされ、平成２２年１月５日付けの手続補正が同年６月３０日付けで却下されるとともに、同日付けで拒絶査定がなされ、これに対して、同年１１月２日に拒絶査定不服審判が請求されると同時に手続補正がなされたものである。
　
第２　平成２２年１１月２日付け手続補正についての補正却下の決定
　
〔補正却下の決定の結論〕
　平成２２年１１月２日付け手続補正を却下する。
　
〔理由〕
１　本件補正の内容
（１）平成２２年１１月２日付け手続補正（以下「本件補正」という。）は、特許請求の範囲についてするものであって、本件補正前の請求項１に、
「印刷用ラベル印刷機であって、
　
像を印刷する
　前記第１ラベルと第２ラベルとの間で前記第１背景と第２背景とが出会う領域の各側に切断部を提供する切断手段を備え
る
　
「印刷用ラベル印刷機であって、
　
印刷層と接着剤層と取り外し可能な基層とを含むテープ上に像を印刷する
　前記第１ラベルと第２ラベルとの間で前記第１背景と第２背景とが出会う領域の各側に切断部を提供する切断手段を備え
、
前記第１背景と第２背景とが出会う前記領域は、前記第１背景と第２背景とが混合しているかその境界が明白でない領域である、
　
（２）本件補正後の請求項１に係る上記（１）の補正は、本件補正前の請求項１に記載した発明を特定するために必要な事項である「像を印刷する少なくとも１つの印刷ヘッド」について、「印刷層と接着剤層と取り外し可能な基層とを含むテープ上に」印刷するものであると限定するとともに、本件補正前の請求項１に記載した発明を特定するために必要な事項である「前記第１ラベルと第２ラベルとの間で前記第１背景と第２背景とが出会う領域」について「前記第１背景と第２背景とが混合しているかその境界が明白でない領域である」と限定するものである。
　
２　本件補正の目的
　上記１（２）の本件補正後の請求項１に係る本件補正は、本件補正前の請求項１に記載した発明を特定するために必要な事項を限定するものであるから、平成１８年法律第５５号改正附則第３条第１項によりなお従前の例によるとされる同法による改正前の特許法第１７条の２第４項第２号の「特許請求の範囲の減縮」を目的とするものである。
　そこで、本件補正後の請求項１に係る発明（以下「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
３　刊行物の記載
　本願の優先日前に頒布された刊行物である特開２００１−３１０５１４号公報（以下「引用例１」という。）」には、次の事項が図とともに記載されている（丸付き数字は便宜上〔丸１〕などと表記した。以下同じ。）。
（１）「【０００１】
【発明の属する技術分野】本発明は、
搬送される記録媒体に対してインクを吐出して記録を行う画像記録装置
関する
【０００２】
【従来の技術】図１６は、
従来の画像記録装置
ロール状に巻回された記録媒体１０００は、搬送手段
ローラ対
によって、
副走査方向
に挟持搬送され
【０００３】ローラ対１００３の下流には、
記録媒体１０００の幅方向に対してインクを吐出して記録を行う記録手段１０２０が設けられ
インクを吐出する記録ヘッド１０２１と、記録ヘッド１０２１を記録媒体１０００の搬送方向に対して直交する
主走査方向、記録媒体１０００の幅方向
に搬送するキャリッジ１００２とからな
【０００４】又、記録手段１０２０の下流には、
記録媒体１０００上に噴射されたインクを乾燥させるインク乾燥手段１００７が設けられ
記録媒体１０００を吸引して画像記録時の記録媒体１０００の浮き上がりを防止する吸引手段１００６が設けられ
【０００５】インク乾燥手段１００７の下流側には、
記録媒体１０００を切断するカット手段１００５及び切断された記録媒体１０００を収納する排紙皿１００８が設けられ
【０００６】次に、上記構成の動作を説明する。
キャリッジ１００２が記録媒体１０００の幅方向へ移動すると共に、記録ヘッド１０２１よりインクを噴射することにより、記録媒体１０００上には幅方向にライン状の画像が記録され
【０００７】
ライン状の画像が記録されたならば、ローラ対１００３が駆動され、記録手段１０２０が所定量矢印Ｉ方向へ移動する。そして、また、キャリッジ１００２が記録媒体１０００の幅方向へ移動すると共に、記録ヘッド１０２１よりインクを噴射することにより、記録媒体１０００上に幅方向のライン状の画像が記録され
【０００８】
これを繰返すことにより、記録媒体１０００上に１つの画像が記録される。１つの画像の記録が完了したならば、ローラ対１００３により、記録された画像の終端がカット手段１００５に対向する位置まで記録媒体１０００が矢印Ｉ方向に送り出され
【０００９】
そして、カット手段１００５が画像の終端近傍を切断し、シート状の記録媒体１０００が排紙皿１００８上に載置される
記録媒体１０００の切断後、ローラ対１００３が、先程とは逆方向に回転し、記録媒体１０００の先端が記録手段１０２０に対向する位置まで引き戻され、次の画像記録が行われる
【００１０】
【発明が解決しようとする課題】
しかし、上記構成の画像記録装置を用いて、ふちなし画像記録を行う場合、
第１の画像Ａと第２の画像Ｂとの境界線ｌ上で切断を行うのは、機械精度上難しく、境界線ｌの前後ａ、ｂで切断することがなされる
【００１１】上記画像記録装置では、
第１の画像Ａと第２の画像Ｂとを連続して記録し、第２の画像の形成が終了したならば、カット手段１００５を用いて境界線ｌの前後ａ、ｂを切断する
【００１２】
この切断を行っている間は、画像記録ができず、処理時間が長くなるという問題点がある。さらに、画像記録を行った箇所を切断するので、カット手段１００５が汚れる問題点もある
【００１３】本発明は、上記問題点に鑑みてなされたもので、その
第１の課題は、ふちなし画像記録を行っても処理時間が短い画像記録装置を提供することにある
【００１４】第３の課題は、ふちなし画像記録を行っても、カット手段が汚れない記録媒体を提供することにある。
【００１５】
【課題を解決するための手段】上記課題を解決する請求項１記載の発明は、搬送される記録媒体に対してインクを吐出して記録を行なう記録ヘッドと、記録後の前記記録媒体の搬送方向と略直行する方向に間隔をあけて前記記録媒体を一度に切断可能なカット手段と、前記カット手段を制御する制御手段と、を有することを特徴とする画像記録装置である。
【００１６】記録後の前記記録媒体の搬送方向と略直行する方向に間隔をあけて前記記録媒体を一度に切断可能なカット手段を有することにより、ふちなし画像記録を行っても処理時間が短くなる。
【００１７】請求項２記載の発明は、前記カット手段は、前記記録媒体の搬送方向と略直行する方向に移動する二つのロータリカッターであることを特徴とする請求項１記載の画像記録装置である。
【００１８】前記カット手段は、前記記録媒体の搬送方向と略直行する方向に移動する二つのロータリカッターであることにより、ふちなし画像記録を行っても処理時間が短くなる。
【００１９】請求項３記載の発明は、前記カット手段は、前記記録媒体の搬送方向と略直行する方向に移動する二つのかみそりカッターであることを特徴とする請求項１記載の画像記録装置である。
【００２０】前記記録媒体の搬送方向と略直行する方向に移動する二つのかみそりカッターであることにより、ふちなし画像記録を行っても処理時間が短くなる。請求項４記載の発明は、前記カット手段は、二つのギロチンカッターであることを特徴とする請求項１記載の画像記録装置である。
【００２１】前記カット手段は、二つのギロチンカッターであることにより、ふちなし画像記録を行っても処理時間が短くなる。請求項５記載の発明は、前記カット手段は、前記記録媒体の搬送方向と略直行する方向に伸びる二つの刃面が間隔をあけて形成され、上下方向に移動する上刃を用いた打ち抜きカッターであることを特徴とする請求項１記載の画像記録装置である。
【００２２】前記カット手段は、前記記録媒体の搬送方向と略直行する方向に伸びる二つの刃面が間隔をあけて形成され、上下方向に移動する上刃を用いた打ち抜きカッターであることにより、ふちなし画像記録を行っても処理時間が短くなる。
【００２３】さらに、一つの上刃で記録後の前記記録媒体の搬送方向と略直行する方向に間隔をあけて前記記録媒体を一度に切断可能なことにより、コストダウンが図れる。
【００２４】請求項６記載の発明は、
搬送される記録媒体に対してインクを吐出して記録を行なう記録ヘッドと、記録後の前記記録媒体の搬送方向と略直行する方向に間隔をあけて前記記録媒体を切断可能な二つのカット手段と、前記二つのカット手段のうちの一つのカット手段を作動させる第１のカットモード及び前記二つのカット手段の両方を作動させる第２のカットモードを選択的に行なう制御手段とを有する
【００２５】
制御手段は、前記二つのカット手段のうちの一つのカット手段を作動させる第１のカットモード及び前記二つのカット手段の両方を作動させる第２のカットモードを選択的に行なうことにより、ふちなし画像記録を行う場合は第２のカットモードで二つのカット手段を作動させ、前記記録媒体の搬送方向と略直行する方向に間隔をあけて前記記録媒体を一度に切断する
【００２６】
よって、ふちなし画像記録を行っても処理時間が短くなる。さらに、第１のカットモードで二つのカット手段のうちの１つを作動させることにより、ふちあり画像記録の切断も行うことができる
【００２７】請求項７記載の発明は、前記記録ヘッドを前記記録媒体の搬送方向と略直行する方向に移動させるキャリッジに、前記カッターを設けたことを特徴とする請求項２、３、６のいずれかに記載の画像記録装置である。
【００２８】前記記録ヘッドを前記記録媒体の搬送方向と略直行する方向に移動させるキャリッジに、前記カッターを設けたことにより、カッター単独で記録媒体の搬送方向と略直行する方向に移動させる機構が不要となり、コストダウンが図れる。
【００２９】請求項８記載の発明は、前記カット手段を清掃するクリーニング手段を設けたことを特徴とする請求項１乃至７のいずれかに記載の画像記録装置である。前記カット手段を清掃するクリーニング手段を設けたことにより、カット手段が汚れない。
【００３０】請求項９記載の発明は、画像記録装置に用いられる記録媒体において、ベースと、インクを受けるインク受像層との間に、インク溶剤吸収層を設けたことを特徴とする記録媒体である。
【００３１】ベースと、インクを受けるインク受像層との間に、インク溶剤吸収層を設けたことにより、吐出されたインクの色材がインク受像層に吸収されると共に、インク溶剤がインク溶剤吸収層で吸収され、インク色材とインク溶剤とが分離し、カット手段が汚れない。」
　
（２）「【００３２】
【発明の実施の形態】次に、図面を用いて実施の形態例を説明する。最初に、実施の形態例の画像記録装置の全体構成を示す斜視図である図１、図１の矢印ＩＩＩ正面から見た断面構成図である図２を用いて、本実施の形態例の機械的全体構成を説明する。
【００３３】図において、
ロール状に巻回された記録媒体１は、搬送手段としてのローラ対３によって、矢印ＩＩ方向に挟持搬送されるようなっている。尚、ローラ対３は図示しない駆動手段（後述するローラ駆動モータ３１）によって、駆動される
【００３４】
ローラ対３の下流には、記録媒体１の搬送方向（矢印ＩＩ方向）の略直交する方向（記録媒体１の幅方向）に対してインクを吐出して記録を行う記録手段２が設けられ
【００３５】記録手段２において、記録媒体１の幅方向に設けられたガイドバー２３には、記録媒体１に対してインクを吐出するキャリッジ２０が移動可能に係合している。
【００３６】ガイドバー２３の両端部には、プーリ２５がそれぞれ配置され、プーリ２５間にはワイヤ２４が巻回されている。そして、ワイヤ２４とキャリッジ２０とは連結され、一方のプーリ２５は図示しない駆動手段（後述するキャリッジ駆動モータ２６）により回転駆動されるようになっている。
【００３７】従って、
プーリ２５が駆動されることにより、キャリッジ２０はガイドバー２３に沿って移動することとなる。
【００３８】そして、
記録手段２には、ガイドバー２３に沿って移動するキャリッジ２０の位置を検知するリニアエンコーダ（図示せず）９７が設けられている。又、記録手段２の下流には、記録媒体１上に噴射されたインクを乾燥させるインク乾燥手段７が設けられ
【００３９】更に、
記録媒体１の画像記録面と反対側の面側には、記録手段２と対向し、記録媒体１を吸引して画像記録時の記録媒体１の浮き上がりを防止する吸引手段６が設けられ
【００４０】
ローラ対３の下流には、記録媒体１の搬送方向と略直行する方向に間隔を空けて記録媒体１を切断する第１のカット手段５及び第２のカット手段５′が設けられ
【００４１】第１のカット手段５は、記録媒体１の幅方向において記録媒体１を挟むように配置された一組のプーリ５２と、プーリ５２間に巻回されたワイヤ５１と、ワイヤ５１に設けられたかみそり刃５０とからなっている。又、一組のプーリ５２のうちの一方のプーリ５２は図示しない駆動手段（後述するカッター駆動モータ５３）により駆動されるようになっている。
【００４２】同様に、第２のカット手段５′は、記録媒体１の幅方向において記録媒体１を挟むように配置された一組のプーリ５２′と、プーリ５２′間に巻回されたワイヤ５１′と、ワイヤ５１′に設けられたかみそり刃５０′とからなっている。又、一組のプーリ５２′のうちの一方のプーリ５２′は図示しない駆動手段（後述するカッター駆動モータ５３′）により駆動されるようになっている。
【００４３】従って、プーリ５２、５２′が駆動されることにより、かみそり刃５０、５０′は記録媒体１の幅方向に移動しながら記録媒体１を切断し、シート状の記録媒体１２とする。
【００４４】さらに、第１および第２のカット手段５、５′には、かみそり刃５０、５０′の清掃を行なうクリーニング手段としてのクリーニングパット４９、４９′が設けられている。このクリーニングパット４９、４９′にかみそり刃５０、５０′が接触するとかみそり刃５０、５０′に付着した異物が除去されるようになっている。
【００４５】第１のカット手段５の下流側には、切断されたシート状の記録媒体１２が積載される排紙皿８が設けられている。
（キャリッジ２０）キャリッジ２０の斜視図である図３、図３の矢印ＩＶ方向から見た図である図４、図３の矢印Ｖ方向から見た図である図５（ａ）を用いて、キャリッジ２０の詳細な説明を行う。
【００４６】キャリッジ２０には、Ｙ（黄色）、Ｍ（マゼンタ）、Ｃ（シアン）、Ｋ（ブラック：黒）の各色のインクが貯留されるＹインクタンク２２１、Ｍインクタンク２２２、Ｃインクタンク２２３、Ｋインクタンク２２４及び、各インクタンク２２２〜２２４からのインクを吐出するＹ記録ヘッド２１１、Ｍ記録ヘッド２１２、Ｃ記録ヘッド２１３、Ｋ記録ヘッド２１４が設けられている。
【００４７】各記録ヘッド２１１〜２１４にはインクが出射する複数のノズル２１１１、２１２１、２１３１、２１４１が設けられている。各ノズル２１１１、２１２１、２１３１、２１４１は、図５（ｂ）に示すように、Ｎ個のノズルがピッチＰで並んでいるものとする。
【００４８】尚、本実施の形態例では、Ｙインクタンク２２１と、Ｙ記録ヘッド２１１とが、又、Ｍインクタンク２２２と、Ｍ記録ヘッド２１２とが、又、Ｃインクタンク２２３と、Ｃ記録ヘッド２１３とが、更に、Ｋインクタンク２２４と、Ｋ記録ヘッド２１４とが一体となったカートリッジ形式とした。
【００４９】（吸引手段６）吸引手段６の斜視図である図６及び図６の断面構成図である図７を用いて説明する。
【００５０】吸引手段６は、記録媒体１と対向する面に、一定間隔で複数の吸引穴６１が形成された箱体６０と、箱体６０内に設けられた２つの記録媒体吸引ファン６２ａ、６２ｂとからなっている。
【００５１】記録媒体吸引ファン６２ａ、６２ｂが駆動されることによって、箱体６０内が負圧となり吸引穴６１が設けられた面に記録媒体が吸着し、記録媒体１の浮き上がりが防止される。
【００５２】（インク乾燥手段７）インク乾燥手段７の断面構成図である図８を用いて説明する。インク乾燥手段７は、記録媒体１と対向する面に、複数の噴射穴７５が形成された箱体７０と、箱体７０内に設けられ、箱体７０外部の空気をた吸引するインク乾燥ファン７１と、インク乾燥ファン７１で吸引された空気を加熱するインク乾燥ヒータ７２とからなっている。
【００５３】尚、本実施の形態例では、インク乾燥手段７から噴射される乾燥した空気によってキャリッジ２０の各記録ヘッド２１１〜２１４のノズル２１１１〜２１４１内のインクが乾燥してノズルつまりを起こすのを防止するために、噴射穴７５から噴射される空気流の方向をキャリッジ２０と反対側の方向になるように噴射穴７５の向きを設定している。
【００５４】（電気的構成及び動作）本実施の形態例の画像記録装置の電気的構成を説明するブロック図である図９を用いて説明する。
【００５５】図において、
１００は本実施の形態例の画像記録装置で記録する画像のデータ（画像の記録サイズ等のパラメータ、ＹＭＣＫに色分解された画像データ）を保存しているホストコンピュータである。ホストコンピュータ１００から送出される画像データはインターフェース部９１を介して本実施の形態例の画像記録装置の取り込まれ
【００５６】９２は
取り込んだ画像データを一時格納する画像メモリ部、９３は多値画像階調を表現するための誤差拡散処理部、９４は画像メモリ上の画像データの並びと画像記録時の出力順序を変換するデータ並び替え処理部、９５は各記録ヘッド２１１〜２１４を駆動する記録ヘッドドライバ
【００５７】９８はリニアエンコーダ９７からの信号を取り込み、インクの出射タイミングのパルス信号を生成し、画像メモリ９２、誤差拡散処理部９３、データ並び替え処理部９４、記録ヘッドドライバ９５へ供給するインク出射タイミング生成部、
９は各種制御を行うＣＰＵ等からなる制御部
【００５８】１０１は操作者が制御部９に対してふちなし画像記録かふちなし画像記録かを指示する操作部である。
（動作）図９を参照して、動作を説明する。」
　
（３）「【００５９】操作者が操作部１０１を介してがふちなし画像記録、ふちあり画像記録のどちらかを指示すると、それに応じて制御部９は以下の動作を行う。
〔丸１〕ふちなし画像記録の場合（第２のカットモード）
ここでは例として図１０（ａ）に示すように
長さ６２ｍｍの画像を記録し、前後１ｍｍずつ切断し、長さ６０ｍｍのふちなしプリントを作成する
【００６０】なお、図１１に示すように
記録ヘッド２１の最下流ノズル位置
より４０ｍｍ離れて第１のカット手段５が、さらに２ｍｍ離れて第２のカット手段５′が配置され
【００６１】また、記録ヘッド２１には１２５ヶのノズルがピッチ８０μｍで並んでいるものとする。即ち、記録ヘッド２１の１回の走査で８０μｍ×１２５＝１ｍｍの長さの画像が記録できるものとする。
【００６２】（１）
ホストコンピュータ１００より記録すべき１つめの画像に関する、記録サイズ等の画像パラメータが転送される。画像パラメータはインターフェース部９１を介し、制御部９に転送
【００６３】（２）
画像パラメータに続き、ホストコンピュータ１００より１つめの画像データが転送開始される。画像データはインターフェース部９１を介し、画像メモリ９２に転送
【００６４】
画像メモリ９２に所定量（一走査分）のデータが格納されると
（３）制御部９は、モータドライバ６３を作動し、吸引手段６の記録媒体吸引ファン６２ａ、６２ｂを駆動する。
【００６５】（４）制御部９は、モータドライバ７３を作動し、インク乾燥ファン７１を駆動するとともに、インク乾燥ヒータ７２を作動させる。
（５）
制御部９は、モータドライバ３２を作動し、ローラ駆動モータ３１を駆動してローラ対３を回転させて、記録媒体１を所定の記録開始位置まで搬送
【００６６】本実施の形態例では、記録ヘッド２１の
最下流側ノズル位置
より１ｍｍ下流の位置に記録媒体１の先端を合わせ
（６）制御部９は、モータドライバ２７を作動し、キャリッジ駆動モータ２６を駆動する。キャリッジ駆動モータ２６は、プーリ２５、ワイヤ２４を介し、
記録ヘッド２１を搭載したキャリッジ２０をガイドバー２３に沿って、記録媒体１の搬送方向に対し略直交する方向に移動させ
【００６７】
キャリッジ２０の移動に伴い、
リニアエンコーダ９７は、キャリッジ２０が所定量移動するごとにパルス信号を発生
インク射出タイミング生成部９８は、パルス信号を元にタイミング信号を生成し、画像メモリ９２、誤差拡散処理部９３、データ並び替え処理部９４、記録ヘッドドライバ９５に供給
【００６８】
これにより、画像メモリ９２から記録すべき画像のデータが順次読み出され、誤差拡散処理部９３、データ並び替え処理部９４を経て記録ヘッドドライバ９５に入力され、画像データに応じた信号がキャリッジ２０の移動と同期して記録ヘッド２１に供給され、記録ヘッド２１に設けられたノズル２１１１〜２１４１からＹ、Ｍ、Ｃ、Ｋのインクが記録媒体１に向けて射出され、記録媒体１上に画像が形成され
【００６９】この時、
記録媒体１の搬送方向と略直交する方向の端よりはみ出す位置まで画像記録を行
（７）キャリッジ２０が記録画像のサイズに応じた所定量移動すると、制御部９はキャリッジ駆動モータ２６を停止し、キャリッジ２０を停止する。インクの射出も停止する。
【００７０】（６）〜（７）の動作により第１の画像の前端１ｍｍが記録されたことになる。
（８）制御部９は、モータドライバ３２を作動し、ローラ駆動モータ３１を駆動してローラ対３を回転させて、
記録媒体１を１ｍｍだけ搬送
【００７１】（９）記録媒体１の所定量の搬送が終了すると、制御部９は、モータドライバ２７を作動し、キャリッジ駆動モータ２６を前回と逆方向に回転し、キャリッジ２０を前回と逆方向に移動する。以下、前回と同様に、キャリッジ２０の移動に同期して記録ヘッドよりインクが射出され、記録媒体１上に画像が形成される。
【００７２】以下、（６）〜（９）
を繰り返し、第１の画像を形成してゆく
（１０）一方で、
ホストコンピュータからは、画像データの転送が並行して
【００７３】万一、ホストコンピュータ１００からの画像データ転送が間に合わず、画像メモリ９２に転送・格納された未記録画像データが所定量以下になってしまった場合は、制御部９はこれを検知して、格納データが所定量以上となるまで、キャリッジ２０の移動を開始しない。
【００７４】逆に、ホストコンピュータ１００からの画像データ転送が速く、画像メモリに空き領域がなくなってしまうか、所定量以下になった場合は、画像の記録が進み、所定量以上の空き領域ができるまで、ホストコンピュータ１００からの画像データ転送を一時停止する。
【００７５】（１１）
記録ヘッド２１の走査と記録媒体１の搬送（１ｍｍずつ）を４１回繰り返すと、第１の画像の前端のカットすべき部位（図１０（ａ）の切断位置Ｐ１）が、第１のカット手段５の位置に達
【００７６】制御部９は、モータドライバを作動し、カッター駆動モータ５３を駆動してプーリ５２を回転し、ワイヤ５１を介してかみそり刃５０を記録媒体１の搬送方向と垂直の方向に移動し、
第１の画像の先端を切断す
【００７７】制御部９は、かみそり刃５０を記録媒体１の幅に応じた所定量の移動をした後、カッター駆動モータ５３を停止する。
（１２）
第１の画像の先端切断後も前記（６）〜（９）の動作を繰り返し、第１の画像
の残りを記録していく
【００７８】
記録ヘッド２１の走査と記録媒体１の搬送（１ｍｍずつ）を２１回繰り返すと、第１の画像記録が終了する
（１３）ホストコンピュータ１００から
第１の画像データが全て転送されると、続けて第２の画像データが転送され
【００７９】（１４）制御部９は第１の画像と同様に前記（６）〜（９）の動作を繰り返し、
第２の画像を記録してい
（１５）
記録ヘッド２１の走査と記録媒体１の搬送（１ｍｍずつ）を４１回繰り返すと、第１の画像の後端のカットすべき部位（図１０（ａ）の切断位置Ｐ２）が第２のカット手段５′の位置に、第２の画像の前端のカットすべき部位（図１０（ａ）の切断位置Ｐ３）が第１のカット手段５の位置に達する
【００８０】制御部９は、モータドライバ５４、５４′を作動し、カッター駆動モータ５３、５３′を駆動してプーリ５２、５２′を回転し、ワイヤ５１、５１′を介してかみそり刃５０、５０′を記録媒体１の搬送方向と垂直の方向に移動し、
第１の画像の後端と第２の画像の前端が同時に切断され
【００８１】制御部９は、かみそり刃５０、５０′を記録媒体１の幅に応じた所定量移動した後、カッター駆動モータ５３、５３′を停止する。
（１６）
切断された第１の画像が形成された記録媒体１２は、排紙皿８に積載され
【００８２】（１７）制御部９は
前記（６）〜（９）の動作を繰り返し、第２の画像の残りを記録し、以後同様に画像の記録と切断を行う
〔丸２〕ふちあり画像記録の場合（第１のカットモード）
ここでは、例として図１０（ｂ）に示すように、長さ５６ｍｍの画像を記録し、前後２ｍｍずつの余白をつけて長さ６０ｍｍのふちつきプリントを作成する場合について説明する。」
　
（４）「【０１１３】上記構成によれば、以下のような効果を得ることができる。
（１）記録後の記録媒体１の搬送方向と略直行する方向に間隔をあけて記録媒体１を一度に切断可能な第１および第２のカット手段５、５′を有することにより、ふちなし画像記録を行っても処理時間が短くなる。
【０１１４】（２）
制御手段９
【０１１５】よって、ふちなし画像記録を行っても処理時間が短くなる。さらに、第１のカットモードで、第１のカット手段５を作動させることにより、ふちあり画像記録の切断も行うことができる。
【０１１６】（３）記録媒体１のベース１ａと、インクを受けるインク受像層１ｃとの間に、インク溶剤吸収層１ｂを設け、噴射されたインクの色材がインク受像層１ｃに吸収されるとともに、インク溶剤がインク溶剤吸収層に吸収し、インクの色材と溶剤が分離することにより、第１および第２のカット手段５、５′のかみそり刃５０、５０′が汚れない。」
　
（５）「【０１２３】
【発明の効果】以上述べたように、請求項１記載の発明によれば、記録後の前記記録媒体の搬送方向と略直行する方向に間隔をあけて前記記録媒体を一度に切断可能なカット手段を有することにより、ふちなし画像記録を行っても処理時間が短くなる。
【０１２４】請求項２記載の発明によれば、前記カット手段は、前記記録媒体の搬送方向と略直行する方向に移動する二つのロータリカッターであることにより、ふちなし画像記録を行っても処理時間が短くなる。
【０１２５】請求項３記載の発明によれば、前記記録媒体の搬送方向と略直行する方向に移動する二つのかみそりカッターであることにより、ふちなし画像記録を行っても処理時間が短くなる。
【０１２６】請求項４記載の発明によれば、前記カット手段は、二つのギロチンカッターであることにより、ふちなし画像記録を行っても処理時間が短くなる。請求項５記載の発明によれば、前記カット手段は、前記記録媒体の搬送方向と略直行する方向に伸びる二つの刃面が間隔をあけて形成され、上下方向に移動する上刃を用いた打ち抜きカッターであることにより、ふちなし画像記録を行っても処理時間が短くなる。
【０１２７】さらに、一つの上刃で記録後の前記記録媒体の搬送方向と略直行する方向に間隔をあけて前記記録媒体を一度に切断可能なことにより、コストダウンが図れる。
【０１２８】請求項６記載の発明によれば、
制御手段は、前記二つのカット手段のうちの一つのカット手段を作動させる第１のカットモード及び前記二つのカット手段の両方を作動させる第２のカットモードを選択的に行なうことにより、ふちなし画像記録を行う場合は第２のカットモードで二つのカット手段を作動させ、前記記録媒体の搬送方向と略直行する方向に間隔をあけて前記記録媒体を一度に切断する
【０１２９】
よって、ふちなし画像記録を行っても処理時間が短くなる。さらに、第１のカットモードで二つのカット手段のうちの１つを作動させることにより、ふちあり画像記録の切断も行うことができる
【０１３０】請求項７記載の発明によれば、前記記録ヘッドを前記記録媒体の搬送方向と略直行する方向に移動させるキャリッジに、前記カッターを設けたことにより、カッター単独で記録媒体の搬送方向と略直行する方向に移動させる機構が不要となり、コストダウンが図れる。
【０１３１】請求項８記載の発明によれば、前記カット手段を清掃するクリーニング手段を設けたことにより、カット手段が汚れない。請求項９記載の発明によれば、ベースと、インクを受けるインク受像層の間に、インク溶剤吸収層を設け、噴射されたインクの色材がインク受像層に吸収されるとともに、インク溶剤がインク溶剤吸収層に吸収し、インクの色材と溶剤が分離することにより、カット手段が汚れない。」
　
（６）図１７の記載、図１０（ａ）の記載、ふちなし画像記録を行う場合、第１の画像と第２の画像との境界線上で切断を行うのは機械精度上難しく、境界線の前後で切断することがなされており、第１の画像と第２の画像とを連続して記録し、第２の画像の形成が終了したならば、カット手段を用いて境界線の前後を切断することになり、画像記録を行った箇所を切断するのでカット手段が汚れる点、及び、記録媒体の搬送方向と略直交する方向の端よりはみ出す位置まで画像記録を行う点からみて、第１の画像及び第２の画像はいずれも背景を有する画像であることが把握される。
　
（７）上記（１）ないし（６）から、引用例１には、次の発明が記載されているものと認められる。
「ロール状に巻回された記録媒体をローラ対によって副走査方向に挟持搬送する搬送手段と、
　インクを吐出する記録ヘッド及び該記録ヘッドを記録媒体の搬送方向に対して直交する主走査方向に搬送するキャリッジからなり、記録媒体の幅方向に対してインクを吐出して記録を行う記録手段と、
　記録媒体上に噴射されたインクを乾燥させるインク乾燥手段と、
　記録媒体を吸引して画像記録時の記録媒体の浮き上がりを防止する吸引手段と、
　記録媒体を切断するカット手段と、
　切断された記録媒体を収納する排紙皿と、
　が設けられており、
　キャリッジが記録媒体の幅方向へ移動すると共に、記録ヘッドよりインクを噴射することにより、記録媒体上には幅方向にライン状の画像が記録され、
　ライン状の画像が記録されたならば、ローラ対が駆動され、記録手段が所定量移動して、キャリッジが記録媒体の幅方向へ移動すると共に、記録ヘッドよりインクを噴射することにより、記録媒体上に幅方向のライン状の画像が記録され、
　これを繰返すことにより、記録媒体上に１つの画像が記録され、１つの画像の記録が完了したならば、ローラ対により、記録された画像の終端がカット手段に対向する位置まで記録媒体が送り出され、
　そして、カット手段が画像の終端近傍を切断し、シート状の記録媒体が排紙皿上に載置され、
　記録媒体の切断後、ローラ対が、先程とは逆方向に回転し、記録媒体の先端が記録手段に対向する位置まで引き戻され、次の画像記録が行われる画像記録装置において、
　従来の画像記録装置を用いて、ふちなし画像記録を行う場合、第１の背景を有する第１の画像と第２の背景を有する第２の画像との境界線上で切断を行うのは機械精度上難しく、境界線の前後で切断することがなされており、第１の画像と第２の画像とを連続して記録し、第２の画像の形成が終了したならば、カット手段を用いて境界線の前後を切断することになり、切断を行っている間は、画像記録ができず、処理時間が長くなるという問題点などがあったので、ふちなし画像記録を行っても処理時間が短い画像記録装置を提供することを課題とし、この課題を解決するために、
　前記カット手段を、記録後の前記記録媒体の搬送方向と略直行する方向に間隔をあけて前記記録媒体を切断可能な二つのカット手段とし、
　前記二つのカット手段のうちの一つのカット手段を作動させる第１のカットモード及び前記二つのカット手段の両方を作動させる第２のカットモードを選択的に行なう制御手段を設け、
　前記制御手段は、前記二つのカット手段のうちの一つのカット手段を作動させる第１のカットモード及び前記二つのカット手段の両方を作動させる第２のカットモードを選択的に行なうことにより、ふちなし画像記録を行う場合は第２のカットモードで二つのカット手段を作動させ、前記記録媒体の搬送方向と略直行する方向に間隔をあけて前記記録媒体を一度に切断することによって、ふちなし画像記録を行っても処理時間が短くなり、さらに、第１のカットモードで二つのカット手段のうちの１つを作動させることにより、ふちあり画像記録の切断も行うことができる画像記録装置であって、
　長さ６２ｍｍの画像を記録し、前後１ｍｍずつ切断し、長さ６０ｍｍのふちなしプリントを作成するとすると、
　前記記録ヘッドの最下流ノズル位置より４０ｍｍ離れて第１のカット手段を配置し、さらに２ｍｍ離れて第２のカット手段を配置し、
　ホストコンピュータより記録すべき１つめの画像に関する記録サイズ等の画像パラメータを前記制御手段に転送し、画像パラメータに続き、ホストコンピュータより１つめの画像データを転送開始し、該画像データを画像メモリに転送し、第１の画像データが全て転送されると、続けて第２の画像データを転送し、
　ホストコンピュータからの画像データの転送と並行して、
　前記制御手段は、画像メモリに所定量（一走査分）のデータが格納されると、ローラ対を回転させて、記録媒体を所定の記録開始位置まで搬送させ、前記最下流側ノズル位置より１ｍｍ下流の位置に記録媒体の先端を合わせ、
　その後、前記制御手段は、前記キャリッジを記録媒体の搬送方向に対し略直交する方向に移動させ、キャリッジの移動に伴い、リニアエンコーダがキャリッジが所定量移動するごとにパルス信号を発生し、このパルス信号を元にインク射出タイミング生成部がタイミング信号を生成して前記画像メモリ、誤差拡散処理部、データ並び替え処理部及び記録ヘッドドライバに供給し、これにより、前記画像メモリから記録すべき画像のデータを順次読み出して、前記誤差拡散処理部、前記データ並び替え処理部を経て前記記録ヘッドドライバに入力し、画像データに応じた信号を前記キャリッジの移動と同期して前記記録ヘッドに供給し、記録ヘッドに設けられたノズルからＹ、Ｍ、Ｃ、Ｋのインクを記録媒体に向けて射出させて記録媒体上に画像を形成させ、記録媒体の搬送方向と略直交する方向の端よりはみ出す位置まで画像記録を行わせ、記録媒体を１ｍｍだけ搬送させることを繰り返し、第１の画像を形成させてゆき、記録ヘッドの走査と記録媒体の搬送（１ｍｍずつ）を４１回繰り返させると、第１の画像の前端のカットすべき部位が第１のカット手段の位置に達するので第１の画像の先端を切断させ、第１の画像の先端切断後も前記動作を繰り返し、第１の画像の残りを記録させていき、記録ヘッドの走査と記録媒体の搬送（１ｍｍずつ）を２１回繰り返すと、第１の画像記録が終了するので、第２の画像を記録させていき、記録ヘッドの走査と記録媒体の搬送（１ｍｍずつ）を４１回繰り返すと、第１の画像の後端のカットすべき部位が第２のカット手段の位置に、第２の画像の前端のカットすべき部位が第１のカット手段の位置に達するので、第１の画像の後端と第２の画像の前端を同時に切断させ、切断された第１の画像が形成された記録媒体は前記排紙皿に積載され、前記の動作を繰り返し第２の画像の残りを記録させ、以後同様に画像の記録と切断を行わさせるようにして、ふちなし画像記録を行う場合は第２のカットモードで二つのカット手段を作動させ、前記記録媒体の搬送方向と略直行する方向に間隔をあけて前記記録媒体を一度に切断させることによって、ふちなし画像記録を行っても処理時間が短くなるようにした画像記録装置。」（以下「引用発明１」という。）
　
４　対比
　本願補正発明と引用発明１とを対比する。
（１）本願の発明の詳細な説明には次の記載がある。
「図４は、
本発明によるテープ印刷装置
ラベルとして印刷すべきデータを入力
ラベルを印刷する
　テープ印刷装置は、
データが入力されるにつれてこれを表示する液晶表示器（ＬＣＤ）４０を有する。表示器によって、使用者は印刷すべきラベルの全部または一部を見ることができ
印刷する前にラベルの編集を容易にする
　テープ印刷器具１を制御する基本的回路が、図１５に図示されている。読み取り専用メモリ（ＲＯＭ）２０２、マイクロプロセッサ２０１、およびＲＡＭ２０４によって概略的に図示されたランダムアクセスメモリ容量を有するマイクロプロセッサチップ２００がある。マイクロプロセッサチップ２００は、キーボード２０６のようなデータ入力器具から自身に入力される
ラベルデータ
マイクロプロセッサチップ２００は
印刷すべきラベル（またはその一部）
を表示する
マイクロプロセッサチップ２００は
ラベルデータが像受け取りテープに印刷され、ラベルを形成する
印刷ヘッド２１６を駆動する
　
（２）上記（１）の記載からみて、本発明によるテープ印刷装置は、ラベルを印刷するときには、ラベルとして印刷すべきデータを入力し、データが入力されるにつれて、マイクロプロセッサチップは、入力されたラベルとして印刷すべきデータを表示器に表示させ、ラベルデータが像受け取りテープに印刷され、ラベルを形成するように印刷ヘッドを駆動させ、使用者は、表示器によって印刷すべきラベルの全部または一部を見ることができるので、印刷する前にラベルの編集が容易であるものと解され、このテープ印刷装置が本願補正発明の「印刷用ラベル印刷機」に含まれものと解される。
　してみると、「ラベルとして印刷すべきデータ」が「像受け取りテープ」に印刷されることからみて、本願補正発明における「第１ラベル」及び「第２ラベル」は、いずれも「ラベルとして印刷すべきデータ」といった意味であり、本願補正発明における「第１ラベルの第１背景」及び「第２ラベルの第２背景」は、いずれも「ラベルとして印刷すべきデータの背景部分」といった意味であると解される。
　
（３）上記（２）からみて、引用発明１の「記録すべき画像のデータ」、「第１の背景を有する第１の画像データ」、「第２の背景を有する第２の画像データ」、「第１の背景」及び「第２の背景」と本願補正発明の「印刷されるラベル」、「第１ラベル」、「第２ラベル」、「第１背景」及び「第２背景」とは、それぞれ、「印刷すべきデータ」、「印刷すべき第１のデータ」、「印刷すべき第２のデータ」、「印刷すべき第１のデータの第１背景」及び「印刷すべき第２のデータの第２背景」である点で一致するといえる。
　
（４）引用発明１の「画像記録装置」、「記録媒体」、「『画像記録』、『画像を形成』」、「記録ヘッド」、「『第１の画像の後端のカットすべき部位』と『第２の画像の前端のカットすべき部位』との間の領域」、「カットすべき部位」及び「カット手段」は、それぞれ、本願補正発明の「印刷機」、「テープ」、「像を印刷」、「印刷ヘッド」、「前記第１ラベルと第２ラベルとの間で前記第１背景と第２背景とが出会う領域」、「切断部」及び「切断手段」に相当する。
　
（５）引用発明１において、「印刷機（画像記録装置）」には、インクを吐出する「印刷ヘッド（記録ヘッド）」及び該印刷ヘッドを「テープ（記録媒体）」の搬送方向に対して直交する主走査方向に搬送するキャリッジからなり、テープの幅方向に対してインクを吐出して記録を行う記録手段が設けられており、「印刷機（画像記録装置）」は、ホストコンピュータより「印刷すべき第１のデータ（１つめの画像データ）」を転送開始し、該「第１のデータ」を画像メモリに転送し、「第１のデータ」が全て転送されると、続けて「印刷すべき第２のデータ（第２の画像データ）」を転送し、ホストコンピュータからの「印刷すべきデータ」の転送と並行して、制御手段は、前記画像メモリから「印刷すべきデータ（記録すべき画像のデータ）」を順次読み出して、「印刷すべきデータ」に応じた信号を前記「印刷ヘッド」に供給し、「テープ」上に「像を印刷（画像を形成）」させ、「テープ」の搬送方向と略直交する方向の端よりはみ出す位置まで「像の印刷（画像記録）」を行わせ、「印刷すべき第１のデータ（第１の画像）」を形成させてゆき、「印刷すべき第１のデータ」の「印刷（記録）」が終了すると、「印刷すべき第２のデータ」を「印刷」させていき、「印刷すべき第１のデータ」の後端の「切断部（カットすべき部位）」が第２の「切断手段（カット手段）」の位置に、「印刷すべき第２のデータ」の前端の「切断部」が第１の「切断手段」の位置に達すると、「印刷すべき第１のデータ」の後端と「印刷すべき第２のデータ」の前端を同時に切断させ、切断された「印刷すべき第１のデータ」が「印刷（形成）」された「テープ」は前記排紙皿に積載され、前記の動作を繰り返し「印刷すべき第２のデータ」の残りを「印刷」させ、以後同様に「像の印刷」と切断を行わさせるようにして、ふちなし「像の印刷」を行う場合は第２のカットモードで二つの「切断手段」を作動させ、前記「テープ」の搬送方向と略直行する方向に間隔をあけて前記「テープ」を一度に切断させるものであるから、引用発明１の「印刷機（画像記録装置）」と本願補正発明の「印刷機」とは、「テープ上に像を印刷する少なくとも１つの印刷ヘッドを備え、それによって印刷すべき第１のデータの第１背景がその後に印刷される印刷すべき第２のデータの第２背景とは異なるように印刷され、さらに、前記印刷すべき第１のデータと印刷すべき第２のデータとの間で前記第１背景と第２背景とが出会う領域の各側に切断部を提供する切断手段を備える」点で一致する。
　
（６）上記（１）ないし（５）によれば、本願補正発明と引用発明１とは、
「印刷機であって、
　テープ上に像を印刷する少なくとも１つの印刷ヘッドを備え、それによって印刷すべき第１のデータの第１背景がその後に印刷される印刷すべき第２のデータの第２背景とは異なるように印刷され、さらに、
　前記印刷すべき第１のデータと印刷すべき第２のデータとの間で前記第１背景と第２背景とが出会う領域の各側に切断部を提供する切断手段を備える、印刷機。」である点で一致し、次の点で相違する。
　
相違点１：
　本願補正発明では、前記テープが「印刷層と接着剤層と取り外し可能な基層とを含む」ものであって、前記印刷すべき第１のデータ及び印刷すべき第２のデータがそれぞれ「第１ラベル」及び「第２ラベル」であって、前記印刷機は「第１ラベル」である印刷すべき第１のデータ及び「第２ラベル」である印刷すべき第２のデータを印刷した後切断手段で切断すると切断した前記テープがラベルになる「印刷用ラベル印刷機」であるのに対して、
　引用発明１では、前記テープが接着剤層及び取り外し可能な基層とを含んでおらず、印刷すべき第１のデータ及び印刷すべき第２のデータを印刷した後切断手段で切断しても、切断した前記テープはラベルではないので、前記印刷機は印刷用ラベル印刷機とはなっていない点。
　
相違点２：
　前記第１背景と第２背景とが出会う前記領域が、本願補正発明では、「前記第１背景と第２背景とが混合しているかその境界が明白でない領域である」のに対して、引用発明１では、前記第１背景と第２背景とが混合しているかどうか、前記第１背景と第２背景の境界が明白なのか明白でないのかが明確でない点。
　
５　判断
　上記相違点１及び２について検討する。
（１）相違点１について
　ア　台紙と台紙全体に剥離可能に接着されたラベル印刷用紙とからなる記録媒体、及び、このような記録媒体に、コンピュータで生成された印刷データに基づきラベルの画像を記録（印刷）するラベルプリンタは、本願の優先日前に周知である（以下「周知技術」という。例．特開２００２−２２６１２７号公報（段落【００１３】、図１〜図３参照。）、特開２００１−２３９６５７号公報（段落【００１２】、図１〜図３参照。））。
　イ　引用発明１は、ホストコンピュータより画像データを画像メモリに転送し、ホストコンピュータからの画像データの転送と並行して前記画像メモリから記録すべき画像のデータを順次読み出して、記録媒体上に第１の画像を形成させてゆき、第１の画像の後端と第２の画像の前端を同時に切断させ、切断された第１の画像が形成された記録媒体は排紙皿に積載され、第２の画像の残りを記録させる画像記録装置であるところ、ラベルの印刷が必要な場合などに、周知技術の「台紙と台紙全体に剥離可能に接着されたラベル印刷用紙とからなる記録媒体」を準備し、引用発明１において、前記記録媒体として周知技術の記録媒体を用い、前記ホストコンピュータで、前記画像データとして第１ラベルの画像及び第２ラベルの画像を生成して前記画像メモリに順次転送し、画像形成装置では、ホストコンピュータからの画像データの転送と並行して前記画像メモリから記録すべき第１ラベルの画像及び第２ラベルの画像を順次読み出して、前記記録媒体におけるラベル印刷用紙上に第１ラベルの画像を形成させてゆき、第１ラベルの画像の後端と第２ラベルの画像の前端を同時に切断させ、切断された第１ラベルの画像が形成された前記記録媒体は排紙皿に積載され、第２ラベルの画像の残りを記録させるようになして、引用発明１の画像形成装置をラベルプリンタとして使用することは、当業者が周知技術に基づいて容易に想到することができた程度のことである。
　ウ　引用発明１において上記イのようになすと、前記「テープ（記録媒体）」が「印刷層（ラベル印刷用紙）」と接着剤層と「取り外し可能な基層（台紙）」とを含むものとなり、前記印刷すべき第１のデータ及び印刷すべき第２のデータがそれぞれ「第１ラベル」及び「第２ラベル」となり、前記「印刷機（画像形成装置）」は「第１ラベルの画像」及び「第２ラベルの画像」を「印刷（記録）」した後「切断手段（カット手段）」で切断すると切断した前記「テープ（記録媒体）」がラベルになる「印刷用ラベル印刷機」になるから、引用発明１において上記相違点１に係る本願補正発明の構成となすことは、上記イからみて、当業者が周知技術に基づいて容易に想到することができた程度のことである。
　
（２）相違点２について
　ア　引用発明１の画像形成装置を用いて、ふちなし画像記録を行う際には、該画像形成装置は、第１の画像記録が終了してから第２の画像を記録していき、記録ヘッドの走査と記録媒体の搬送（１ｍｍずつ）を４１回繰り返し、第１の画像の後端のカットすべき第１の画像を形成した部位が前記記録ヘッドの最下流ノズル位置より４２ｍｍ離れて配置された第２のカット手段の位置に、第２の画像の前端のカットすべき第２の画像を形成した部位が前記記録ヘッドの最下流ノズル位置より４０ｍｍ離れて配置された第１のカット手段の位置に達したところで、第１の画像の後端と第２の画像の前端を同時に切断し、かつ、記録媒体の搬送方向と略直交する方向の端よりはみ出す位置まで画像記録を行うようになっているから、画像記録する範囲は、記録媒体の搬送方向及び該方向と略直交する方向について、切断された記録媒体よりも大きい範囲となっていることがわかる。
　イ　しかるところ、画像記録する範囲を記録媒体の搬送方向にどれほど大きくするかについては、引用例１の「しかし、上記構成の画像記録装置を用いて、ふちなし画像記録を行う場合、図１７に示すように、第１の画像Ａと第２の画像Ｂとの境界線ｌ上で切断を行うのは、機械精度上難しく、境界線ｌの前後ａ、ｂで切断することがなされる。」（上記３（１）段落【００１０】参照。）の記載からみて、第１の画像は、その後端が第１の画像の後端のカットすべき部位よりも切断の機械精度以上外側になる大きさにしないと、切断の誤差により第１の画像の外側余白が切断された記録媒体に残り完全なふちなし画像記録でなくなってしまい、また、第１の画像は、その後端が第２の画像の前端のカットすべき部位よりも機械精度以上手前になる範囲の大きさに抑えておかなければ、切断の誤差により切断された第２の画像の記録媒体の前端に第１画像が含まれてしまい、ふちなし画像記録であっても記録画像が乱れたものになってしまうことから、その範囲内の大きさにすべきであり、第２の画像についても、その先端について、第１の画像の後端と同様であり、第１の画像の先端や第２の画像の後端についても同様であることが当業者に明らかである。
　ウ　引用発明１において、「前記第１ラベルと第２ラベルとの間で前記第１背景と第２背景とが出会う領域（第１の画像の後端のカットすべき部位と第２の画像の前端のカットすべき部位との間の領域）」は、記録物として使用するわけではないから、前記「第１背景」と「第２背景」とが混合してもかまわない領域であり、その境界が明白でなくてもかまわない領域であるといえ、また、引用発明１において、画像記録する範囲は、上記アで述べたように、記録媒体の搬送方向及び該方向と略直交する方向について、切断された記録媒体よりも大きい範囲とされるものであるところ、その大きさをどれほど大きくするかは、上記イで述べた範囲内で当業者が適宜決定すべき事項であるといえる。
　エ　したがって、引用発明１において、「前記第１ラベルと第２ラベルとの間で前記第１背景と第２背景とが出会う領域」を、上記イで述べた範囲内で、本願補正発明のように「前記第１背景と第２背景とが混合しているかその境界が明白でない領域」となるようにした点は、当業者が適宜なし得た程度の設計上の事項にすぎない。
　
（３）効果について
　本願補正発明の奏する効果は、引用発明１の奏する効果及び周知技術の奏する効果から当業者が予測できた程度のものである。
　
（４）まとめ
　以上のとおりであるから、本願補正発明は、当業者が引用例１に記載された発明及び周知技術に基づいて容易に発明をすることができたものである。
　したがって、本願補正発明は、特許法第２９条第２項の規定により特許出願の際独立して特許を受けることができないものである。
　
６　小括
　以上のとおり、本願補正発明は、特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１　本願発明
　本件補正は上記のとおり却下されたので、本願の請求項１ないし１３に係る発明は、平成２１年６月１０日付け手続補正により補正された特許請求の範囲の請求項１ないし１３に記載された事項によって特定されるものであるところ、請求項１に係る発明（以下「本願発明」という。）は、平成２１年６月１０日付け手続補正により補正された特許請求の範囲、明細書及び図面の記載からみて、上記「第２〔理由〕１（１）」に本件補正前の請求項１として記載したとおりのものである。
　
２　刊行物の記載
　原査定の拒絶の理由に引用された「本願の優先日前に頒布された刊行物である特開２００１−３０２０７４号公報（以下「引用例２」という。）」には、次の事項が図とともに記載されている。
（１）「【請求項２】　
記録媒体に対してインクを噴射して記録を行う記録ヘッドと
記録後の前記記録媒体を切断するカット手段と
前記カット手段を清掃する清掃手段と
第１の記録モード時には前記記録媒体の画像が記録された部位を前記カット手段で切断するように、第２の記録モード時には前記記録媒体の画像と画像との境界の画像が記録されていない部位を前記カット手段で切断するようにカット位置を制御すると共に、前記第１のモード時には前記清掃手段を作動させる制御部と
を備えたことを特徴とする画像記録装置
【請求項３】　
前記記録ヘッドは前記記録媒体の端よりはみ出してインクを噴射し
前記記録媒体の端よりはみ出したインクを受けるインク受け手段を設けた
請求項
２記載の画像記録装置
　
（２）「【０００１】
【発明の属する技術分野】本発明は、画像記録装置および記録媒体に関し、さらに詳しくは、カット手段が常に清潔な状態となる画像記録装置および記録媒体に関する。
【０００２】
【従来の技術】図１７は従来の画像記録装置の構成図である。図において、
ロール状に巻回された記録媒体１０００は、搬送手段としてのローラ対１００３によって、矢印Ｉ方向に挟持搬送され
【０００３】ローラ対１００３の下流には、
記録媒体１０００の幅方向に対してインクを噴射して記録を行う記録手段１０２０が設けられ
インクを噴射する記録ヘッド１０２１と、記録ヘッド１０２１を記録媒体１０００の搬送方向に対して直交する方向
に搬送するキャリッジ１００２とからなっている
【０００４】又、記録手段１０２０の下流には、記録媒体１０００上に噴射されたインクを乾燥させるインク乾燥手段１００７が設けられている。更に、記録媒体１０００の画像記録面と反対側の面側には、記録手段１０２０と対向し、記録媒体１０００を吸引して画像記録時の記録媒体１０００の浮き上がりを防止する吸引手段１００６が設けられている。
【０００５】インク乾燥手段１００７の下流側には、
記録媒体１０００を切断するカット手段としてのカッタ１００５及び切断された記録媒体１０００を収納する排紙皿１００８が設けられている
【０００６】次に、上記構成の動作を説明する。
キャリッジ１００２が記録媒体１０００の幅方向へ移動することにより、記録媒体１０００上には幅方向にライン状の画像が記録され
【０００７】ライン状の画像が記録されたならば、
ローラ対１００３が駆動され、記録手段１０２０が所定量矢印Ｉ方向へ移動
キャリッジ１００２が記録媒体１０００の幅方向へ移動することにより、記録媒体１０００上に幅方向のライン状の画像が記録され
【０００８】
これを繰返すことにより、記録媒体１０００上に１つの画像が記録される。１つの画像の記録が完了したならば、ローラ対１００３により、記録された画像の終端がカッタ１００５に対向する位置まで記録媒体１０００が矢印Ｉ方向に送り出され
【０００９】そして、
カッタ１００５が画像の終端を切断し、シート状の記録媒体１０００が排紙皿１００８上に載置される。記録媒体１０００の切断後、ローラ対１００３が、先程とは逆方向に回転し、記録媒体１０００の先端が記録手段１０２０に対向する位置まで引き戻され、次の画像記録が行われる
【００１０】
【発明が解決しようとする課題】しかし、上記構成の画像記録装置において、図１８（ａ）に示すように、
記録媒体１０００の記録範囲Ａにのみインクを噴射して画像記録を行い、画像と画像との間に画像が記録されていない空白部を切断する場合には、カッタ（カット手段）１００５は汚れない
【００１１】しかし、図１８（ｂ）に示すように、
記録媒体１０００の端よりはみ出してインクを噴射して画像記録を行ない（所謂ふちなしプリント）、画像と画像との境界線ｌの前後を切断する場合には、インクが完全に乾燥していない状態の画像記録部分を切断するので、カッタ（カット手段）１００５にインクが付着し、カッタ１００５が汚れる問題点がある
【００１２】一方、このカッタ１００５の汚れを防止するために、インクを完全に乾燥させるためにインク乾燥手段１００７乾燥能力を大きくすると、装置がの大型化し、コストもアップするという別の問題点が発生する。
【００１３】本発明は、上記問題点に鑑みてなされたもので、その
課題
カット手段が常に清潔な状態となる画像記録装置および記録媒体を提供する
【００１４】
【課題を解決するための手段】上記課題を解決する請求項１記載の発明は、記録媒体に対してインクを噴射して記録を行う記録ヘッドと、記録後の前記記録媒体を切断するカット手段と、前記記録媒体の画像が記録された部位を前記カット手段で切断するようにカット位置を制御する制御手段と、前記カット手段を清掃する清掃手段とを備えたことを特徴とする画像記録装置である。
【００１５】前記カット手段を清掃する清掃手段を備えたことにより、カット手段を常に清潔な状態とすることができる。請求項２記載の発明は、記録媒体に対してインクを噴射して記録を行う記録ヘッドと、記録後の前記記録媒体を切断するカット手段と、前記カット手段を清掃する清掃手段と、第１の記録モード時には前記記録媒体の画像が記録された部位を前記カット手段で切断するように、第２の記録モード時には前記記録媒体の画像と画像との境界の画像が記録されていない部位を前記カット手段で切断するようにカット位置を制御すると共に、前記第１のモード時には前記清掃手段を作動させる制御部とを備えたことを特徴とする画像記録装置である。
【００１６】
前記カット手段を清掃する清掃手段を備えたことにより、記録媒体の画像が記録された部位をカットしてもカット手段を常に清潔な状態とすることができる。また、制御手段は、画像が記録された部位を切断する第１のモード時にのみ、前記清掃手段を作動させることにより、即ち、カット手段の清掃が必要なときのみ清掃手段を作動させることにより、画像記録装置の処理速度が速くなる
【００１７】請求項３記載の発明は、前記記録ヘッドは前記記録媒体の端よりはみ出してインクを噴射し、前記記録媒体の端よりはみ出したインクを受けるインク受け手段を設けたことを特徴とする請求項１または２記載の画像記録装置である。
【００１８】
前記記録媒体の端よりはみ出したインクを受けるインク受け手段を設けたことにより、ふちなし画像記録を行っても、画像記録装置や記録媒体が汚れない
【００１９】ベースと、インクを受けるインク受像層との間に、インク溶剤吸収層を設けたことにより、噴射されたインクの色材がインク受像層に吸収されると共に、インク溶剤がインク溶剤吸収層で吸収され、インク色材とインク溶剤とが分離し、カット手段が画像部分を切断しても、カット手段が汚れず、カット手段を常に清潔な状態とすることができる。」
　
（３）「【００２０】
【発明の実施の形態】（１）第１の実施の形態例
最初に、第１の実施の形態例の画像記録装置の全体構成を示す斜視図である図１、図１の矢印ＩＩＩ正面から見た断面構成図である図２を用いて、本実施の形態例の機械的全体構成を説明する。
【００２１】図において、ロール状に巻回された記録媒体１は、搬送手段としてのローラ対３によって、矢印ＩＩ方向に挟持搬送されるようなっている。尚、ローラ対３は図示しない駆動手段（後述するローラ駆動モータ３１）によって、駆動される。
・・・略・・・
【００４１】１０１は操作者が制御部９に対して第１の記録モード（記録媒体１の端よりはみ出してインクを噴射し、ふちなし画像を記録するモード記録）か、第２の記録モード（記録媒体１の記録範囲のみインクを噴射し、ふちあり画像を記録するモード）かを指示する操作部である。
（動作）図１１を参照して、動作を説明する。
【００４２】
操作者が操作部１０１を介して第１の記録モード（ふちなし画像記録）、第２の記録モード（ふちあり画像記録）のどちらかを指示すると、それに応じて制御部９は
〔丸１〕
第１の記録モードの場合
ホストコンピュータ１００からの画像データ転送に先立ち、カットマーク１１を記録するための所定データを画像メモリ９２に書き込む
（２）
ホストコンピュータ１００より記録すべき１つめの画像に関する、記録サイズ等の画像パラメータが転送され
【００４３】画像パラメータはインターフェース部９１を介し、制御部９に転送される。
（３）
画像パラメータに続き、ホストコンピュータ１００より１つめの画像データが転送開始され
画像メモリ９２に転送され
【００４４】
画像メモリ９２に所定量（一走査分）のデータが格納されると、制御部９は
（４）制御部９は、モータドライバ６３を作動し、吸引手段６の記録媒体吸引ファン６２ａ、６２ｂを駆動する。
（５）制御部９は、モータドライバ３２を作動し、駆動モータ３１を駆動してローラ対３を回転させて、
記録媒体１を所定の記録開始位置まで搬送
【００４５】本実施の形態例では、
ふちなし画像記録を行うので、記録媒体１の搬送方向の端（前端）をはみ出して画像記録できる位置
（６）制御部９は、モータドライバ２７を作動し、キャリッジ駆動モータ２６を駆動する。キャリッジ駆動モータ２６は、プーリ２５、ワイヤ２４を介し、
記録ヘッド２１を搭載したキャリッジ２０を
記録媒体１の搬送方向に対し略直交する方向に移動させ
【００４６】キャリッジ２０の移動に伴い、キャリッジ２０の移動方向に沿って設けられたリニアエンコーダ９７は、キャリッジ２０が所定量移動するごとにパルス信号を発生し、このパルス信号はインク射出タイミング生成部９８に入力される。インク射出タイミング生成部９８は、パルス信号を元にタイミング信号を生成し、画像メモリ９２、誤差拡散処理部９３、データ並び替え処理部９４、記録ヘッドドライバ９５に供給する。
【００４７】これにより、
画像メモリ９２から記録すべき画像のデータが順次読み出され、
画像データに応じた信号がキャリッジ２０の移動と同期して記録ヘッド２１に供給され、記録ヘッド２１に設けられたノズル２１１１〜２１４１からＹ、Ｍ、Ｃ、Ｋのインクが記録媒体１に向けて射出され、記録媒体１上に画像が形成され
【００４８】
この時、記録媒体１の搬送方向と略直交する方向の端よりはみ出す位置まで画像記録を行う
（７）キャリッジ２０が記録画像のサイズに応じた所定量移動すると、制御部９はキャリッジ駆動モータ２６を停止し、キャリッジ２０を停止する。インクの射出も停止する。
（８）制御部９は、モータドライバ３２を作動し、ローラ駆動モータ３１を駆動してローラ対３を回転させて、
記録媒体１を後述の所定量だけ搬送する
（９）記録媒体１の所定量の搬送が終了すると、制御部９は、モータドライバ２７を作動し、キャリッジ駆動モータ２６を前回と逆方向に回転し、キャリッジ２０を前回と逆方向に移動する。以下、前回と同様に、
キャリッジ２０の移動に同期して記録ヘッドよりインクが射出され、記録媒体１上に画像が形成され
【００４９】以下、（７）（８）（９）
を繰り返し、第１の画像を形成してゆく
（１０）
一方で、ホストコンピュータからは、画像データの転送が並行して行われ、
【００５０】万一、ホストコンピュータ１００からの画像データ転送が間に合わず、画像メモリ９２に転送・格納された未記録画像データが所定量以下になってしまった場合は、制御部９はこれを検知して、格納データが所定量以上となるまで、キャリッジ２０の移動を開始しない。
【００５１】逆に、ホストコンピュータ１００からの画像データ転送が速く、画像メモリに空き領域がなくなってしまうか、所定量以下になった場合は、画像の記録が進み、所定量以上の空き領域ができるまで、ホストコンピュータ１００からの画像データ転送を一時停止する。
（１１）
ホストコンピュータ１００から第１の画像データが全て転送されると、
続けて、次に形成する第２の画像との境界線ｌ上に
カットマーク１１を記録するための所定データを書き込
（１２）（２）〜（１０）
を繰返し、第２の画像を形成する
（１３）制御部９は
、第２の画像が記録されたならば、
第１の画像と第２の画像との境界線ｌをカット手段５方向へ搬送す
（１４）制御部９は、ローラ対３の回転中に、
カットマーク検知センサ９９によりカットマーク１１を検出すると、境界線ｌの前後の切断予定位置のうちの前方の切断予定位置がカット手段５の切断位置に来るように、ローラ対３の回転を停止
（１５）制御部９は、モータドライバ５４を作動し、カッター駆動モータ５３を駆動してプーリ５２を回転し、ワイヤ５１を介して
かみそり刃５０を記録媒体１の搬送方向と垂直の方向に移動し、境界線ｌの前方の切断予定位置を切断する
【００５２】この第１の記録モードの際には、かみそり刃５０は
インクが完全に乾燥していない状態の画像記録部分を切断
かみそり刃５０がクリーニングパット４９に接触させ、かみそり刃５０の清掃を行う
（１６）制御部９は、モータドライバ３２を作動し、ローラ駆動モータ３１を駆動してローラ対３を回転し、
境界線ｌの前後の切断予定位置のうちの後方の切断予定位置がカット手段５の切断位置に来ると、
（１７）制御部９は、モータドライバ５４を作動し、カッター駆動モータ５３を駆動してプーリ５２を回転し、ワイヤ５１を介して
かみそり刃５０を記録媒体１の搬送方向と垂直の方向に移動し、境界線ｌの後方の切断予定位置を切断する
【００５３】（１５）のときと同様に、
かみそり刃５０はインクが完全に乾燥していない状態の画像記録部分を切断するので、制御部９はかみそり刃５０がクリーニングパット４９に接触させ、かみそり刃５０の清掃を行う
（１８）
切断された第１の画像が形成された記録媒体１２は、排紙皿８の積載される
〔丸２〕
第２の記録モードの場合
（２）ホストコンピュータ１００より記録すべき１つめの画像に関する、記録サイズ等の画像パラメータが転送される。
・・・略・・・
【００６１】この
第２の記録モードの際には、かみそり刃５０は画像が記録されていない部分を切断するので、かみそり刃５０をクリーニングする必要はない。
・・・略・・・
【００６６】上記構成によれば、以下のような効果を得ることができる。
カット手段５のかみそり刃５０を清掃する清掃手段としてのクリーニングパット４９を備えたことにより、カット手段５のかみそり刃５０を常に清潔な状態とすることができる。
【００６７】
制御手段９
　
（４）図１８（ａ）及び図８（ａ）の記載から、記録範囲Ａは記録媒体よりも小さい範囲であることが見て取れる。
　
（５）「図１８（ｂ）に示すように、記録媒体１０００の端よりはみ出してインクを噴射して画像記録を行ない（所謂ふちなしプリント）、画像と画像との境界線ｌの前後を切断する場合には、インクが完全に乾燥していない状態の画像記録部分を切断するので、カッタ（カット手段）１００５にインクが付着し、カッタ１００５が汚れる問題点がある。」との記載（上記（２）【００１１】参照。）と、図１８（ｂ）及び図８（ｂ）の記載から、第１の画像及び第２の画像はいずれも背景を有する画像であることが把握される。
　
（６）上記（１）ないし（５）から、引用例２には、次の発明が記載されているものと認められる。
「ロール状に巻回された記録媒体を搬送手段としてのローラ対によって挟持搬送されてきた記録媒体に対して、前記記録媒体の端よりはみ出してインクを噴射して記録を行う記録ヘッド及び該記録ヘッドを前記記録媒体の搬送方向に対して直交する方向に搬送するキャリッジとからなっている記録手段と、
　記録後の前記記録媒体を切断するカット手段としてのカッタと、
　切断された記録媒体を収納する排紙皿と、
　前記記録媒体の端よりはみ出したインクを受けるインク受け手段と、
を備え、
　キャリッジが記録媒体の幅方向へ移動することにより、記録媒体上には幅方向にライン状の画像が記録され、ローラ対が駆動され記録手段が所定量移動して、また、キャリッジが記録媒体の幅方向へ移動することにより、記録媒体上に幅方向のライン状の画像が記録され、これを繰返すことにより、記録媒体上に１つの画像が記録され、１つの画像の記録が完了したならばローラ対により記録された画像の終端がカッタに対向する位置まで記録媒体が送り出され、カッタが画像の終端を切断しシート状の記録媒体が排紙皿上に載置され、記録媒体の切断後ローラ対が先程とは逆方向に回転し記録媒体の先端が記録手段に対向する位置まで引き戻され次の画像記録が行われる画像記録装置において、
　記録媒体よりも小さい記録範囲にのみインクを噴射して画像記録を行い、画像と画像との間に画像が記録されていない空白部を切断する場合には、カッタ（カット手段）は汚れないが、記録媒体の端よりはみ出してインクを噴射して画像記録を行ない（所謂ふちなしプリント）、画像と画像との境界線の前後を切断する場合には、インクが完全に乾燥していない状態の画像記録部分を切断するのでカッタ（カット手段）にインクが付着しカッタが汚れる問題点があるので、カット手段が常に清潔な状態となる画像記録装置を提供することを課題として、前記カット手段を清掃する清掃手段と、第１の記録モード時には前記記録媒体の画像が記録された部位を前記カット手段で切断するように、第２の記録モード時には前記記録媒体の画像と画像との境界の画像が記録されていない部位を前記カット手段で切断するようにカット位置を制御すると共に、前記第１のモード時には前記清掃手段を作動させる制御手段と、をさらに備え、これにより、記録媒体の画像が記録された部位をカットしてもカット手段を常に清潔な状態とすることができ、また、制御手段は、画像が記録された部位を切断する第１のモード時にのみ、前記清掃手段を作動させることにより、即ち、カット手段の清掃が必要なときのみ清掃手段を作動させることにより、画像記録装置の処理速度が速くなるようにした画像記録装置であって、
　操作者が操作部を介して第１の記録モードであるふちなし画像記録、第２の記録モードであるふちあり画像記録のどちらかを指示すると、それに応じて、
　第１の記録モードの場合、制御手段は、ホストコンピュータからの画像データ転送に先立ち、カットマークを記録するための所定データを画像メモリに書き込み、ホストコンピュータより記録すべき１つめの画像に関する、記録サイズ等の画像パラメータが転送され、画像パラメータに続き、ホストコンピュータより１つめの第１背景を有する画像データが転送開始され、画像メモリに所定量（一走査分）のデータが格納されると、記録媒体を所定の記録開始位置まで搬送させ、記録ヘッドを搭載したキャリッジを記録媒体の搬送方向に対し略直交する方向に移動させ、画像メモリから記録すべき画像のデータを順次読み出し、画像データに応じた信号をキャリッジの移動と同期して記録ヘッドに供給し、記録ヘッドに設けられたノズルからインクを記録媒体に向けて射出させて記録媒体上に画像を形成させ、この時、記録媒体の搬送方向と略直交する方向の端よりはみ出す位置まで画像記録を行わせ、記録媒体を所定量だけ搬送させ、キャリッジの移動に同期して記録ヘッドよりインクを射出させて記録媒体上に画像を形成させ、一方で、ホストコンピュータからは、画像データの転送が並行して行われ、ホストコンピュータから第１背景を有する第１の画像データが全て転送されると、続けて、次に形成する第２背景を有する第２の画像との境界線上にカットマークを記録するための所定データを書き込み、上記動作を繰返し、第２の画像を形成させ、第２の画像を記録させたならば、第１の画像と第２の画像との境界線をカット手段方向へ搬送し、カットマーク検知センサによりカットマークを検出すると、境界線の前後の切断予定位置のうちの前方の切断予定位置がカット手段の切断位置に来るように、ローラ対の回転を停止させ、かみそり刃を記録媒体の搬送方向と垂直の方向に移動させ、境界線の前方の切断予定位置を切断させ、インクが完全に乾燥していない状態の画像記録部分を切断させるので、かみそり刃をクリーニングパットに接触させ、かみそり刃の清掃を行い、境界線の前後の切断予定位置のうちの後方の切断予定位置がカット手段の切断位置に来ると、かみそり刃を記録媒体の搬送方向と垂直の方向に移動させ、境界線の後方の切断予定位置を切断させ、かみそり刃はインクが完全に乾燥していない状態の画像記録部分を切断するので、かみそり刃をクリーニングパットに接触させ、かみそり刃の清掃を行い、切断された第１の画像が形成された記録媒体は、排紙皿に積載されるようにし、
　第２の記録モードの場合は、かみそり刃は画像が記録されていない部分を切断するので、かみそり刃をクリーニングする必要はない画像記録装置。」（以下「引用発明２」という。）
　
３　対比
　本願発明と引用発明２とを対比する。
（１）本願の発明の詳細な説明にある上記「第２〔理由〕４（１）」のとおりの記載からみて、本発明によるテープ印刷装置は、ラベルを印刷するときには、ラベルとして印刷すべきデータを入力し、データが入力されるにつれて、マイクロプロセッサチップは、入力されたラベルとして印刷すべきデータを表示器に表示させ、ラベルデータが像受け取りテープに印刷され、ラベルを形成するように印刷ヘッドを駆動させ、使用者は、表示器によって印刷すべきラベルの全部または一部を見ることができるので、印刷する前にラベルの編集が容易であるものと解され、このテープ印刷装置が本願発明の「印刷用ラベル印刷機」に含まれものと解される。
　してみると、「ラベルとして印刷すべきデータ」が「像受け取りテープ」に印刷されることからみて、本願発明における「第１ラベル」及び「第２ラベル」は、いずれも「ラベルとして印刷すべきデータ」といった意味であり、本願発明における「第１ラベルの第１背景」及び「第２ラベルの第２背景」は、いずれも「ラベルとして印刷すべきデータの背景部分」といった意味であると解される。
　
（２）上記（１）からみて、引用発明２の「記録すべき画像のデータ」、「第１背景を有する第１の画像データ」、「『第２背景を有する第２の画像』のデータ」、「第１背景」及び「第２背景」と本願発明の「印刷されるラベル」、「第１ラベル」、「第２ラベル」、「第１背景」及び「第２背景」とは、それぞれ、「印刷すべきデータ」、「印刷すべき第１のデータ」、「印刷すべき第２のデータ」、「印刷すべき第１のデータの第１背景」及び「印刷すべき第２のデータの第２背景」である点で一致するといえる。
　
（３）引用発明２の「画像記録装置」、「記録」、「『画像記録』、『画像を形成』」、「記録ヘッド」、「『境界線の前後の切断予定位置のうちの前方の切断予定位置』と『境界線の前後の切断予定位置のうちの後方の切断予定位置』との間の領域」、「切断予定位置」及び「『カッタ（カット手段）』、『かみそり刃』」は、それぞれ、本願発明の「印刷機」、「印刷」、「像を印刷」、「印刷ヘッド」、「第１背景と第２背景とが出会う領域」、「切断部」及び「切断手段」に相当する。
　
（４）引用発明２において、「印刷機（画像記録装置）」には、記録媒体の端よりはみ出してインクを噴射して「印刷（記録）」を行う「印刷ヘッド（記録ヘッド）」及び該「印刷ヘッド」を前記記録媒体の搬送方向に対して直交する方向に搬送するキャリッジとからなっている記録手段が設けられており、「印刷機（画像記録装置）」は、ホストコンピュータより１つめの「第１背景を有する画像データ」が転送開始され、画像メモリに所定量（一走査分）のデータが格納されると、記録媒体を所定の記録開始位置まで搬送させ、「印刷ヘッド（記録ヘッド）」を搭載したキャリッジを記録媒体の搬送方向に対し略直交する方向に移動させ、画像メモリから「印刷すべきデータ（記録すべき画像のデータ）」が順次読み出され、「印刷すべきデータ（画像データ）」に応じた信号がキャリッジの移動と同期して「印刷ヘッド」に供給され、「印刷ヘッド」に設けられたノズルからインクが記録媒体に向けて射出され、記録媒体上に「像が印刷（画像が形成）」され、この時、記録媒体の搬送方向と略直交する方向の端よりはみ出す位置まで「像の印刷（画像記録）」を行わせ、記録媒体を所定量だけ搬送させ、キャリッジの移動に同期して「印刷ヘッド」よりインクを射出させ、記録媒体上に「像を印刷（画像を形成）」させ、一方で、ホストコンピュータからは、「印刷すべきデータ」の転送が並行して行われ、ホストコンピュータから「第１背景」を有する「印刷すべき第１のデータ（第１の画像データ）」が全て転送されると、続けて、次に形成する「第２背景」を有する「印刷すべき第２のデータ（第２の画像）」との境界線上にカットマークを記録するための所定データを書き込み、上記動作を繰返し、「印刷すべき第２のデータ」を「印刷（形成）」させ、「印刷すべき第２のデータ」が「印刷（記録）」させたならば、「印刷すべき第１のデータ」と「印刷すべき第２のデータ」との境界線を「切断手段（カット手段）」方向へ搬送し、カットマーク検知センサによりカットマークを検出すると、境界線の前後の「切断部（切断予定位置）」のうちの前方の「切断部」が「切断手段（カット手段）」の切断位置に来るように、ローラ対の回転を停止させ、「切断手段（かみそり刃）」を記録媒体の搬送方向と垂直の方向に移動させ、境界線の前方の「切断部」を切断させ、インクが完全に乾燥していない状態の「像の印刷（画像記録）」部分を切断させるので、「切断手段（かみそり刃）」をクリーニングパットに接触させ、「切断手段（かみそり刃）」の清掃を行い、境界線の前後の切断予定位置のうちの後方の切断予定位置がカット手段の切断位置に来ると、「切断手段（かみそり刃）」を記録媒体の搬送方向と垂直の方向に移動させ、境界線の後方の「切断部」を切断させ、「切断手段（かみそり刃）」はインクが完全に乾燥していない状態の「像の印刷」部分を切断するので、「切断手段（かみそり刃）」をクリーニングパットに接触させ、「切断手段（かみそり刃）」の清掃を行い、切断された「印刷すべき第１のデータ」が形成された記録媒体は、排紙皿に積載されるようにするものであるから、引用発明２の「印刷機（画像記録装置）」と本願発明の「印刷機」とは、「像を印刷する少なくとも１つの印刷ヘッドを備え、それによって印刷すべき第１のデータの第１背景がその後に印刷される印刷すべき第２のデータの第２背景とは異なるように印刷され、さらに、前記印刷すべき第１のデータと印刷すべき第２のデータとの間で前記第１背景と第２背景とが出会う領域の各側に切断部を提供する切断手段を備える」点で一致するといえる。
　
（５）上記（１）ないし（４）によれば、本願発明と引用発明２とは、
「印刷機であって、
　像を印刷する少なくとも１つの印刷ヘッドを備え、それによって印刷すべき第１のデータの第１背景がその後に印刷される印刷すべき第２のデータの第２背景とは異なるように印刷され、さらに、
　前記印刷すべき第１のデータと印刷すべき第２のデータとの間で前記第１背景と第２背景とが出会う領域の各側に切断部を提供する切断手段を備える印刷機。」である点で一致し、次の点で相違する。
　
相違点３：
　本願発明では、前記印刷すべき第１のデータ及び印刷すべき第２のデータがそれぞれ「第１ラベル」及び「第２ラベル」であり、前記印刷機は「印刷用ラベル印刷機」であるのに対して、
　引用発明２では、印刷すべき第１のデータ及び印刷すべき第２のデータはいずれも「ラベル」であるかどうか不明である点。
　
４　判断
　上記相違点３について検討する。
（１）台紙と台紙全体に剥離可能に接着されたラベル印刷用紙とからなる記録媒体、及び、このような記録媒体に、コンピュータで生成された印刷データに基づきラベルの画像を記録（印刷）するラベルプリンタは本願の優先日前の周知技術であり（上記「第２〔理由〕５」参照。）、引用発明２の画像記録装置は、ホストコンピュータより１つめの第１背景を有する画像データが転送開始され、画像メモリに所定量（一走査分）のデータが格納されると、記録媒体を所定の記録開始位置まで搬送させ、画像メモリから記録すべき画像のデータを順次読み出し、画像データに応じた信号をキャリッジの移動と同期して記録ヘッドに供給して記録媒体上に画像を形成させ、一方で、ホストコンピュータからは、画像データの転送が並行して行われ、ホストコンピュータから第１背景を有する第１の画像データが全て転送されると、続けて、次に形成する第２背景を有する第２の画像との境界線上にカットマークを記録するための所定データを書き込み、上記動作を繰返して第２の画像を形成させ、第２の画像を記録させたならば第１の画像と第２の画像との境界線をカット手段方向へ搬送して境界線の前方の切断予定位置を切断させ、境界線の前後の切断予定位置のうちの後方の切断予定位置がカット手段の切断位置に来ると境界線の後方の切断予定位置を切断させ、切断された第１の画像が形成された記録媒体は排紙皿に積載されるようにしたものであるところ、ラベルの印刷が必要な場合などに、周知技術の「台紙と台紙全体に剥離可能に接着されたラベル印刷用紙とからなる記録媒体」を準備し、引用発明２において、前記記録媒体として周知技術の記録媒体を用い、前記ホストコンピュータで、前記画像データとして第１ラベルの画像及び第２ラベルの画像を生成して前記画像メモリに順次転送し、画像形成装置では、ホストコンピュータからの第１ラベルの画像及び第２ラベルの画像の転送と並行して前記画像メモリから記録すべき第１ラベルの画像及び第２ラベルの画像を順次読み出して、前記記録媒体におけるラベル印刷用紙上に第１ラベルの画像及び第２ラベルの画像を記録させ、第２ラベルの画像が記録させたならば第１ラベルの画像及び第２ラベルの画像との境界線をカット手段方向へ搬送して境界線の前方の切断予定位置を切断させ、境界線の前後の切断予定位置のうちの後方の切断予定位置がカット手段の切断位置に来ると境界線の後方の切断予定位置を切断させ、切断された第１ラベルの画像が形成された記録媒体、すなわち第１ラベルは排紙皿に積載されるようになして、引用発明２の画像形成装置をラベルプリンタとして使用することは、当業者が周知技術に基づいて容易に想到することができた程度のことである。
　
（２）引用発明２において上記（１）のようになすと、前記印刷すべき第１のデータ及び印刷すべき第２のデータがそれぞれ「第１ラベル」及び「第２ラベル」となり、前記「印刷機（画像形成装置）」はラベルプリンタ、すなわち「印刷用ラベル印刷機」になるから、引用発明２において上記相違点３に係る本願発明の構成となすことは、上記（１）からみて、当業者が周知技術に基づいて容易に想到することができた程度のことである。
　
（３）本願発明の奏する効果は、引用発明２の奏する効果及び周知技術の奏する効果から当業者が予測できた程度のものである。
　
（４）以上のとおりであるから、本願発明は、当業者が引用例２に記載された発明及び周知技術に基づいて容易に発明をすることができたものである。　
５　むすび
　本願発明は、当業者が引用例２に記載された発明及び周知技術に基づいて容易に発明をすることができたものであるから、特許法第２９条第２項の規定により特許を受けることができない。
　よって、結論のとおり審決する。